(57)【要約】【課題】操作部の操作性を向上することができるデータ再生装置を提供すること。【解決手段】操作部５０の操作画面に表示される操作スイッチの操作に応じて、音声、映像のデータを再生するデータ再生装置において、データの収録時間が第１所定時間より長いか否か判定する収録時間判定手段６１と、収録時間判定手段６１によりデータの収録時間Ｔが第１所定時間Ｔａより長いと判定されたとき、データの再生位置を第２所定時間だけスキップさせるスキップスイッチ５４を操作部５０の操作画面に表示するスキップスイッチ表示手段６２と、スキップスイッチ表示手段６２により表示されたスキップスイッチ５４がオンに操作されたとき、データの再生位置を第２所定時間だけスキップするスキップ実行手段６３と、を備えることを特徴とする。【選択図】図１
2008287772.tif 000002
【特許請求の範囲】
【請求項１】
操作部の操作画面に表示される操作スイッチの操作に応じて、音声、映像のデータを再生するデータ再生装置において、
前記データの収録時間が第１所定時間より長いか否か判定する収録時間判定手段と、
前記収録時間判定手段により前記データの前記収録時間が前記第１所定時間より長いと判定されたとき、前記データの再生位置を第２所定時間だけスキップさせるスキップスイッチを前記操作部の前記操作画面に表示するスキップスイッチ表示手段と、
前記スキップスイッチ表示手段により表示された前記スキップスイッチがオンに操作されたとき、前記データの前記再生位置を前記第２所定時間だけスキップするスキップ実行手段と、
を備えることを特徴とするデータ再生装置。
【請求項２】
音声、映像のデータを再生するとき、再生時点から第３所定時間遡った時点までの前記データを一時的に記録し、前記データの記録を開始する内容の操作信号を受信すると、前記第３所定時間遡った時点からの前記データを記録するタイムシフト記録手段を更に備え、
前記第２所定時間は、前記第３所定時間と同一である請求項１に記載のデータ再生装置。
【請求項３】
音声、映像のデータの再生が中断されたとき、前記データの中断位置を記録させる中断位置記録手段と、
中断された前記データを再生するとき、前記データの再生位置を前記中断位置記録手段により記録された前記中断位置へスキップさせる中断再開スイッチを前記操作部の前記操作画面に表示する中断再開スイッチ表示手段とを更に備え、
前記スキップ実行手段は、前記中断再開スイッチ表示手段により表示された前記中断再開スイッチがオンに操作されたとき、前記データの前記再生位置を前記中断位置へスキップさせることを特徴とする請求項１又は２に記載のデータ再生装置。
【発明の詳細な説明】
【技術分野】
【０００１】
本発明は、音声、映像のデータを再生するデータ再生装置に関する。
【背景技術】
【０００２】
従来から、記録媒体に記録された放送番組のコンテンツデータを再生している状態で、スキップスイッチが操作されると、スキップ時間テーブルに記憶されているスキップ時間だけ、コンテンツデータの再生位置をスキップさせるデータ再生装置が知られている（例えば、特許文献１参照）。
【０００３】
上記従来の構成のデータ再生装置は、スキップ時間テーブルに記録されているスキップ時間を当該放送番組中のコマーシャルに対応させることにより、スキップスイッチの操作で、放送番組中のコマーシャルをスキップすることができる。
【特許文献１】特開２００６−３１９７９０号公報
【発明の開示】
【発明が解決しようとする課題】
【０００４】
しかしながら、上記従来の構成のデータ再生装置では、スキップ時間をコマーシャルに対応させているため、放送番組等のデータを数分〜数十分単位でスキップする場合、スキップスイッチを複数回操作する必要があり、操作性が良くない。ところが、数分〜数十分単位でスキップするスキップスイッチを新たに設置すると、数分程度の楽曲を再生する場合、数分〜数十分単位でスキップするスキップスイッチは不要であり、操作部のスイッチの数が増えることで、かえって操作性が悪くなる。
【０００５】
本発明は、上記に鑑みてなされたものであって、操作部の操作性を向上することができるデータ再生装置の提供を目的とする。
【課題を解決するための手段】
【０００６】
前記目的を達成するため、第１の発明は、操作部の操作画面に表示される操作スイッチの操作に応じて、音声、映像のデータを再生するデータ再生装置において、
前記データの収録時間が第１所定時間より長いか否か判定する収録時間判定手段と、
前記収録時間判定手段により前記データの前記収録時間が前記第１所定時間より長いと判定されたとき、前記データの再生位置を第２所定時間だけスキップさせるスキップスイッチを前記操作部の前記操作画面に表示するスキップスイッチ表示手段と、
前記スキップスイッチ表示手段により表示された前記スキップスイッチがオンに操作されたとき、前記データの前記再生位置を前記第２所定時間だけスキップするスキップ実行手段と、
を備えることを特徴とする。
【０００７】
第２の発明は、第１の発明に係るデータ再生装置において、音声、映像のデータを再生するとき、再生時点から第３所定時間遡った時点までの前記データを一時的に記録し、前記データの記録を開始する内容の操作信号を受信すると、前記第３所定時間遡った時点からの前記データを記録するタイムシフト記録手段を更に備え、
前記第２所定時間は、前記第３所定時間と同一である。
【０００８】
第３の発明は、第１又は第２の発明に係るデータ再生装置において、音声、映像のデータの再生が中断されたとき、前記データの中断位置を記録させる中断位置記録手段と、
中断された前記データを再生するとき、前記データの再生位置を前記中断位置記録手段により記録された前記中断位置へスキップさせる中断再開スイッチを前記操作部の前記操作画面に表示する中断再開スイッチ表示手段とを更に備え、
前記スキップ実行手段は、前記中断再開スイッチ表示手段により表示された前記中断再開スイッチがオンに操作されたとき、前記データの前記再生位置を前記中断位置へスキップさせることを特徴とする。
【発明の効果】
【０００９】
本発明によれば、データの収録時間が第１所定時間より長いとき、データの再生位置を第２所定時間だけスキップさせるスキップスイッチを操作部の操作画面に表示し、スキップスイッチをオンに操作することにより、データの再生位置を第２所定時間だけスキップすることができ、操作部の操作性を向上できる。また本発明によれば、データの収録時間が第１所定時間以下の短いとき、データの再生位置を第２所定時間だけスキップさせるスキップスイッチを操作部の操作画面に表示しないことにより、操作部のスイッチの数の増加を防止でき、操作部の操作性の悪化を防止できる。
【発明を実施するための最良の形態】
【００１０】
以下、図面を参照して、本発明を実施するための最良の形態の説明を行う。
【００１１】
図１は、本実施例のデータ再生装置の構成を示したブロック図である。図２、図３は、操作部５０に表示される操作画面の一例を模式的に示した図である。図４、図５は、制御部６０が実行する処理の一例を示したフローチャートである。
【００１２】
本実施例のデータ再生装置は、図１に示すように、音声、映像信号を受信する受信部１０と、音声、映像信号を記録する記録部２０と、音声信号を再生するスピーカ３１、及び映像信号を再生する表示部４０からなる再生部３０と、操作スイッチを表示する表示部４０からなる操作部５０と、これらの各部１０、２０、３０、５０を制御する制御部６０と、データ再生装置をオン・オフするデータ再生装置スイッチとを備える。操作部５０の操作画面に表示されている操作スイッチが操作されると、各操作スイッチに応じた操作信号が操作部５０から制御部６０へ出力され、この操作信号に基づき制御部６０が受信部１０、記録部２０、再生部３０、操作部５０を制御する。以下、各構成について詳説する。
【００１３】
受信部１０には、例えば、地上波放送、衛星放送、インターネット放送によるラジオ放送、テレビ放送を受信し、音声、映像信号を出力する受信機を用いる。インターネット放送は、放送する内容のデータをあらかじめ収録した所謂オンデマンド方式でも、所謂生放送方式でも良い。また、インターネット放送は、データのファイルをダウンロードしてから再生する所謂ダウンロード方式でも、データのファイルをダウンロードすることなくデータを再生する所謂ストリーミング形式でも良い。
【００１４】
或いは、受信部１０には、テープ、ＣＤ、ＤＶＤ等の記録媒体に記録されたデータを読み取る読み取り装置、携帯電話に接続してハンズフリー通話を可能にするカーナビゲーション装置を用いても良い。つまり、受信部１０には、音声、映像信号のうち少なくともいずれか１つの信号を受信し（「読み取る」ことを含む、以下同じ）、出力することができる限り、装置の方式、種類に制限はない。
【００１５】
記録部２０には、車両に搭載されるカーナビゲーション装置のハードディスク装置、ＤＶＤ装置等を用いる。記録部２０は、制御部６０からの操作信号に基づき、受信部１０が受信した音声、映像信号をデータとして記録する。つまり、記録部２０には、地上波放送、衛星放送、インターネット放送、音楽、映画、携帯電話による会話等のデータを記録することができる。地上波放送、衛星放送、生放送式のインターネット放送のデータ等、受信する時点において、受信する時点のデータに続くデータにアクセスできない状態のデータ（以下、「リアルタイムで配信されるデータ」）を受信しつつ記録する場合、記録されるデータには、付随データとして時間の情報が格納される。時間は、制御部６０に含まれるタイマにより計測することができ、時間の情報としては、例えば、データの各記録時点における経過時間、データの記録開始時点から記録終了時点までの収録時間、及びデータの記録終了時点における日時が記録される。
【００１６】
再生部３０は、車両に搭載されるカーオーディオ装置のスピーカ３１、カーナビゲーション装置のタッチパネル式の液晶ディスプレイ等の表示部４０から構成される。スピーカ３１は、音声信号を音として出力し、表示部４０は、映像信号を映像として出力する。再生部３０による音声、映像信号の再生には、記録部２０により記録された音声、映像信号のデータ、又は受信部１０により受信された音声、映像信号のデータが用いられる。すなわち、本実施例の再生部３０による再生には、記録部２０にあらかじめ記録された音声、映像信号のデータを再生することのみならず、受信部１０により受信された音声、映像信号を出力することも含まれる。尚、受信部１０により受信された音声、映像信号を再生部３０で再生しつつ、同時に記録部２０で記録することもできる。
【００１７】
この表示部４０には、通常、カーナビゲーション装置による車両周辺の地図データが表示されており、ユーザからの要求に応じて、映像信号を出力する表示画面へ切り替わる。また、表示部４０には、ユーザからの要求に応じて、画面表示を切り替えることにより、後述の操作部５０としての機能を有する表示画面（以下、「操作画面））も表示される。尚、操作画面の詳細については、後述する。
【００１８】
操作部５０には、感圧式のタッチパネルを用いる。タッチパネルの構造は、一般的なものであって良く、例えば、薄膜透明電極を設けたアクリル基板（又はガラス基板等）を下に、薄膜透明電極を設けたフィルム基板を上にして、薄膜透明電極同士をドットスペーサを介して対向させた積層構造を有する。透明タッチパネル上での操作信号（操作位置信号）は、透明タッチパネルの側部に接着されるＦＰＣ（フレキシブル印刷回路）を介して制御部６０に供給される。制御部６０は、透明タッチパネル上での操作信号（操作位置信号）に応じた機能を実現させるように各部１０、２０、３０、５０を制御する。尚、本実施例の操作部５０における操作スイッチは、感圧式の操作スイッチであるが、静電容量式のスイッチ等、操作スイッチの方式ないし種類に限定は無い。
【００１９】
図２は、操作画面の一例を模式的に示した図で、（Ａ）は通常状態を示した図、（Ｂ）は後述のスキップスイッチが表示された状態を示した図である。通常状態の操作画面には、例えば、図２（Ａ）に示すように、音声、映像信号の再生を開始させる再生スイッチ５１、音声、映像信号の再生を早送りさせる早送りスイッチ５２、音声、映像信号の再生を早戻しさせる早戻しスイッチ５３が表示される。尚、操作画面に表示される操作スイッチの種類、数に限定はなく、各スイッチに２つの機能を持たせても良く、例えば、再生スイッチ５１に再生の開始及び再生の停止の２つの機能を持たせても良い。
【００２０】
また、操作画面には、図２（Ｂ）に示すように、その特徴的な構成として、後述の収録時間判定手段６１によりデータの収録時間が第１所定時間より長いと判定されたとき、後述のスキップスイッチ表示手段６２によりスキップスイッチ５４が追加表示される。ユーザがスキップスイッチ５４をオンに操作すると、操作部５０がデータの再生位置を第２所定時間だけスキップする内容の操作信号を制御部６０へ出力する。
【００２１】
制御部６０は、マイクロコンピュータによって構成されており、例えば、ＣＰＵ、制御プログラムを格納するＲＯＭ、演算結果等を格納する読書き可能なＲＡＭ、時間を計測するタイマ、演算等の処理の回数を計測するカウンタ、入力インターフェイス、及び出力インターフェイス等を有する。
【００２２】
制御部６０は、その特徴的な構成として、データの収録時間が第１所定時間より長いか否か判定する収録時間判定手段６１と、収録時間判定手段６１によりデータの収録時間が第１所定時間より長いと判定されたとき、データの再生位置を第２所定時間だけスキップさせるスキップスイッチ５４を操作部５０の操作画面に表示するスキップスイッチ表示手段６２と、スキップスイッチ表示手段６２により表示されたスキップスイッチ５４がオンに操作されたとき、データの再生位置を第２所定時間だけスキップするスキップ実行手段６３とを備え、上述の受信部１０、記録部２０、再生部３０、及び操作部５０に接続されている。
【００２３】
収録時間判定手段６１は、データの収録時間Ｔが第１所定時間Ｔａより長いか否か判定する。第１所定時間Ｔａとしては、例えば、３０分に設定することができる。この第１所定時間Ｔａは、車両製造時に制御部６０のＲＯＭに格納されており、必要に応じてユーザが操作画面で設定変更できるように設定されている。この収録時間Ｔには、データに付随データとして格納された収録時間Ｔを用いる。尚、記録と再生が同時に行われている場合、最新の経過時間を収録時間Ｔとする。また、オンデマンド方式であってストリーミング方式のインターネット放送のデータの場合、ネットワークを介して記録データにアクセスして、記録データに付随データとして格納された収録時間Ｔを用いる。
【００２４】
スキップスイッチ表示手段６２は、収録時間判定手段６１により収録時間Ｔが第１所定時間Ｔａより長いと判定されたとき、データの再生位置を第２所定時間だけスキップさせるスキップスイッチ５４を操作部５０の操作画面に表示する。スキップスイッチ５４の意匠デザインのデータは、車両製造時に制御部６０のＲＯＭに格納されており、必要に応じて読み出され、操作部５０の操作画面に追加表示される。第２所定時間としては、第１所定時間Ｔａより短く設定され、例えば、１０分に設定することができる。この第２所定時間は、車両製造時に制御部６０のＲＯＭに格納されており、必要に応じてユーザが操作画面で設定変更できるように設定されている。
【００２５】
スキップスイッチ５４は、図２（Ｂ）に示すように、原則として、第２所定時間だけ前後にスキップさせるための一対のスキップスイッチ５４ａ、５４ｂから構成される。また、スキップスイッチ５４は、例外として、リアルタイムで配信されるデータを記録しつつ再生している場合等、第２所定時間後のデータにアクセスできない場合、第２所定時間だけ後にスキップさせる（第２所定時間送る）ためのスキップスイッチ５４ａを表示することなく、第２所定時間だけ前にスキップさせる（第２所定時間戻す）ためのスキップスイッチ５４ｂのみを操作部５０の操作画面に追加表示する。このスキップスイッチ５４ｂ（５４ａ）がオンに操作されると、操作部５０は、データの再生位置を第２所定時間だけ前に（後に）スキップする内容の操作信号を制御部６０へ出力する。
【００２６】
スキップ実行手段６３は、スキップスッチ５４がオンに操作されたとき、データの再生位置を第２所定時間だけスキップさせる。つまり、スキップ実行手段６３は、データの再生位置を第２所定時間だけ前に（後に）スキップする内容の操作信号を操作部５０から受信すると、データの再生位置を第２所定時間だけ前に（後に）スキップさせる。データの再生位置のスキップは、上述の付随データの経過時間を参照することで、実現される。
【００２７】
このように、データの収録時間Ｔが第１所定時間Ｔａより長いとき、データの再生位置を第２所定時間だけスキップさせるスキップスイッチ５４を操作部５０の操作画面に表示し、スキップスイッチ５４をオンに操作することにより、データの再生位置を第２所定時間だけスキップでき、操作部５０の操作性を向上できる。また、データの収録時間Ｔが第１所定時間Ｔａ以下の短いとき、不要なスキップスイッチ５４を操作部５０の操作画面に表示しないことにより、操作部５０のスイッチの数の増加を防止でき、操作部５０の操作性の悪化を防止できる。
【００２８】
また制御部６０は、その特徴的な構成として、音声、映像のデータを再生するとき、再生時点から第３所定時間遡った時点までの前記データを一時的に記録部１０又は制御部６０のＲＡＭに記録し、データの記録を開始する内容の操作信号を受信すると、前記第３所定時間遡った時点からの前記データを記録部１０に記録するタイムシフト記録手段６４を更に備え、スキップスイッチ５４によりスキップされる第２所定時間は、第３所定時間に一致させても良い。第３所定時間としては、例えば、１０分に設定することができる。この第３所定時間は、車両製造時に制御部６０のＲＯＭに格納されており、必要に応じてユーザが操作画面で設定変更できるように設定されている。尚、第３所定時間が設定変更されると、これに連動して、第２所定時間が第３所定時間に一致するように変更される設定にすることができる。
【００２９】
この結果、再生データがタイムシフト機能により記録開始時点から第３所定時間遡った時点までのデータを含む場合であっても、ユーザはデータの再生を記録開始時点から開始することができ、ユーザの興味が記録開始時点から第３所定時間遡った時点までのデータにないとき、ユーザはその間のデータをスキップして再生でき、操作性を向上できる。
【００３０】
また制御部６０は、その特徴的な構成として、データの再生が中断されたとき、データの中断位置を記録する中断位置記録手段６５と、中断されたデータを再生するとき、データの再生位置を中断位置記録手段６５により記録された中断位置へスキップさせる中断再開スイッチ５５（図３参照）を操作部５０の操作画面に表示する中断再開スイッチ表示手段６６とを更に備えていても良い。
【００３１】
中断位置記録手段６５は、データの再生が中断されたとき、データの中断位置を記録する。データの再生が中断されたか否かの判定は、例えば、データ再生装置がオンに操作されている状態で、上述のカーナビゲーション装置のハンズフリー通話がオンに操作されたとき、データの再生が中断されたと判定することができる。
【００３２】
記録される中断位置の情報としては、例えば、中断位置における上述の付属データの経過時間が記録される。中断位置の情報は、制御部６０のＲＡＭに記録されても良く、記録データに格納される付随データとして記録されても良いが、オンデマンド方式でストリーミング方式のインターネット放送の場合、インターネット上の記録データを書き換えることができないので、制御部６０のＲＡＭに記録される。中断位置の情報が制御部６０のＲＡＭに記録される場合、中断位置の情報のみ成らず、データの種類（例えば、ファイル名）も記録させる。データの種類も記録させることで、データ毎に中断位置の情報を記録できる。尚、後述のスキップ実行手段６３によりデータの再生位置を中断位置へスキップさせた後に、中断位置の情報は、消去される。
【００３３】
中断再開スイッチ表示手段６６は、中断されたデータを再生するとき、中断位置記録手段６５により記録された中断位置へデータの再生位置をスキップさせる中断再開スイッチ５５を操作部５０の操作画面に表示する。中断されたデータであるか否かの判定は、再生データの中断位置の情報が有るか否かにより判定できる。中断再開スイッチ５５の意匠デザインのデータは、車両製造時に制御部６０のＲＯＭに格納されており、必要に応じて読み出され、操作部５０の操作画面に表示される。図３は、操作画面の別の例を模式的に示した図で、（Ａ）は通常状態を示した図、（Ｂ）は中断再開スイッチ５５が表示された状態を示した図である。この中断再開スイッチ５５がオンに操作されると、操作部５０は、データの再生位置を中断位置へスキップさせる内容の操作信号を制御部６０へ出力する。
【００３４】
スキップ実行手段６３は、中断再開スイッチ５５がオンに操作されたとき、データの再生位置を中断位置へスキップさせる。つまり、スキップ実行手段６３は、データの再生位置を中断位置へスキップさせる内容の操作信号を操作部５０から受信すると、データの再生位置を中断位置へスキップさせる。データの再生位置のスキップは、上述の付随データの経過時間を参照して、再生位置を中断位置へ一致させることで、実現される。
【００３５】
この結果、カーナビゲーション装置のハンズフリー通話がオンに操作されたとき等、データの再生が中断された場合であっても、中断されたデータを再度再生するとき、ユーザは中断位置からデータの再生を開始することができ、操作性を向上できる。
【００３６】
ここで、制御部６０が実行する処理の一例について図４のフローチャートを参照して説明する。
【００３７】
制御部６０は、図４のＳ１１において、データ再生装置スイッチがオンに操作されたか否かをチェックする。Ｓ１１でデータ再生装置スイッチがオフの場合（Ｓ１１、Ｎｏ）、データ再生装置がオフであるので、今回の処理を終了する。
【００３８】
上記Ｓ１１において、ユーザがデータ再生装置スイッチをオンに操作している場合（Ｓ１１、Ｙｅｓ）、Ｓ１２に進む。Ｓ１２では、受信部１０、記録部２０、再生部３０、操作部５０をオンにする。
【００３９】
続いて、Ｓ１３では、再生データの収録時間Ｔが第１所定時間Ｔａ超か否かをチェックする。Ｓ１３において、再生データの収録時間Ｔが第１所定時間Ｔａ以下である場合（Ｓ１３、Ｎｏ）、再生データの収録時間Ｔが短く、スキップスイッチ５４を表示する必要がないので、今回の処理を終了する。
【００４０】
また、上記Ｓ１３において、再生データの収録時間Ｔが第１所定時間Ｔａ超である場合（Ｓ１３、Ｙｅｓ）、Ｓ１４に進み、操作部５０の操作画面にスキップスイッチ５４を追加表示する。
【００４１】
続いて、Ｓ１５では、スキップスイッチ５４がオンに操作されたか否かチェックする。Ｓ１５でスキップスイッチ５４がオフである場合（Ｓ１５、Ｎｏ）、今回の処理を終了する。
【００４２】
また、上記Ｓ１５において、スキップスイッチ５４がオンに操作された場合（Ｓ１５、Ｙｅｓ）、Ｓ１６に進み、再生位置を第２所定時間だけスキップして、今回の処理を終了する。
【００４３】
図５は、制御部６０が実行する処理の別の例を示したフローチャートである。以下、図５のフローチャートの各ステップについて説明するが、図４のフローチャートのステップと同一のステップについては同一の符号を付して、説明を省略する。
【００４４】
制御部６０は、図５のＳ２１において、再生データが前回の再生時に中断されたか否かチェックする。再生データが前回の再生時に中断されたか否かのチェックは、再生データの中断位置の情報が有るか否かチェックすることで実現される。Ｓ２１で再生データの中断位置の情報が記録されてない場合（Ｓ２１、Ｎｏ）、今回の処理を終了する。
【００４５】
また、Ｓ２１で再生データの中断位置の情報が有る場合（Ｓ２１、Ｙｅｓ）、Ｓ２２に進み、操作部５０の操作画面に中断再開スイッチ５５を追加表示する。
【００４６】
続いて、Ｓ２３では、中断再開スイッチ５５がオンに操作されたか否かチェックする。Ｓ２３で中断再開スイッチ５５がオフである場合（Ｓ２３、Ｎｏ）、今回の処理を終了する。
【００４７】
また、上記Ｓ２３において、中断再開スイッチ５５がオンに操作された場合（Ｓ２３、Ｙｅｓ）、Ｓ２４に進み、再生位置を中断位置へスキップして、今回の処理を終了する。
【００４８】
以上、本発明の好ましい実施例について詳説したが、本発明は、上述した実施例に制限されることはなく、本発明の範囲を逸脱することなく、上述した実施例に種々の変形及び置換を加えることができる。
【００４９】
例えば、本実施例のスキップ実行手段６３は、記録データに付随データとして格納された経過時間を参照することで、再生位置をスキップし、データを頭出ししたが、再生位置を所定時間だけ早送り（早戻し）後、自動的に再生することで再生位置をスキップしても良い。これは、特に、記録データに付随データとして経過時間が格納されていない場合、有効である。
【図面の簡単な説明】
【００５０】
【図１】本実施例のデータ再生装置の構成を示したブロック図である。
【図２】操作部５０に表示される操作画面の一例を模式的に示した図である。
【図３】操作部５０に表示される操作画面の別の例を模式的に示した図である。
【図４】制御部６０が実行する処理の一例を示したフローチャートである。
【図５】制御部６０が実行する処理の別の例を示したフローチャートである。
【符号の説明】
【００５１】
５０    操作部
５４    スキップスイッチ
５５    中断再開スイッチ
６１    収録時間判定手段
６２    スキップスイッチ表示手段
６３    スキップ実行手段
６４    タイムシフト記録手段
６５    中断位置記録手段
６６    中断再開スイッチ表示手段
【図１】
2008287772.tif 000003
【図２】
2008287772.tif 000004
【図３】
2008287772.tif 000005
【図４】
2008287772.tif 000006
【図５】
2008287772.tif 000007